(57)【要約】【解決手段】フレーム、パッチパネル（１４）及びコネクタポート（９６）を有するパッチパネルシステムが提供される。パッチパネルはフレームに取り付けられており、第１及び第２接続インタフェース（９０，９２）を有する。第１接続インタフェースは、Ｎが２より大きいＮ角形の辺を形成するよう結合された複数の部分（１１２）を有する。コネクタポートは第１接続インタフェースに設けられる。第１接続インタフェースの部分は、互いに鈍角に配向された平坦な前面を有する。
2007533265.tif 000002
【特許請求の範囲】
【請求項１】
フレーム（１２，２１２）、及び該フレームに取付け可能なパッチパネル（１４，２１４）を有するパッチパネルシステム（１０，２００）において、
前記パッチパネルは第１接続インタフェース（９０，４９０）を有し、
該第１接続インタフェースは、Ｎが２より大きいＮ角形の辺を形成するよう結合された複数の部分（１１２，４１２）を有し、
前記第１接続インタフェースにコネクタポート（９６，４９６）が設けられていることを特徴とするパッチパネルシステム。
【請求項２】
前記第１接続インタフェースの前記複数の部分（１１２，４１２）は、ほぼ円弧状経路に沿って互いに鈍角に配向される平坦な前面（１１４）を有することを特徴とする請求項１記載のパッチパネルシステム。
【請求項３】
少なくとも１個の前記コネクタポートは、ケーブルに直接的に接続されるよう構成された後面（４９５）を有することを特徴とする請求項１記載のパッチパネルシステム。
【請求項４】
少なくとも１個の前記コネクタポート（９６，４９６）は、単一の情報源又はあて先に関連した単一のデータストリームを運ぶよう構成されていることを特徴とする請求項１記載のパッチパネルシステム。
【請求項５】
前記パッチパネルは第２接続インタフェース（９２）を有し、
該第２接続インタフェースは、前記第１接続インタフェースで複数の前記コネクタポートと通信が相互接続される少なくとも１個のマルチポートコネクタポート（１００）を有することを特徴とする請求項１記載のパッチパネルシステム。
【請求項６】
第２接続インタフェース（９２）に設けられたマルチポートコネクタ（９８）をさらに具備し、
該マルチポートコネクタは、複数の独立した情報源又はあて先に関連した複数の独立したデータストリームを運ぶことを特徴とする請求項１記載のパッチパネルシステム。
【請求項７】
前記パッチパネルに回路基板（８３）をさらに具備し、
該回路基板は、前記コネクタポートに個々に結合された通信経路及び電力分配の少なくとも一方を有することを特徴とする請求項１記載のパッチパネルシステム。
【請求項８】
前記パッチパネルは第２接続インタフェース（９２，４９５）をさらに有し、
前記第１及び第２の接続インタフェースはほぼ同心円状の円弧経路に沿って延びていることを特徴とする請求項１記載のパッチパネルシステム。
【請求項９】
前記パッチパネルは、前記第１接続インタフェースから外側に延びるラッチタブ（１０２）を有し、
該ラッチタブは前記フレームに固定的に又はヒンジ結合で取り付けられていることを特徴とする請求項１記載のパッチパネルシステム。
【請求項１０】
互いに重ねられて配置された複数の前記パッチパネルをさらに具備することを特徴とする請求項１記載のパッチパネルシステム。
【請求項１１】
前記パッチパネルは、対向する前壁及び後壁を有する楔形状の本体を有し、
前記前壁及び後壁の少なくとも一方はほぼ円弧形状であることを特徴とする請求項１記載のパッチパネルシステム。
【発明の詳細な説明】
【技術分野】
【０００１】
本発明は電子機器又は光ファイバケーブルを相互接続するためのパッチパネルシステムに関し、より特定すると効率的な空間配置を有するパッチパネルシステムに関する。
【背景技術】
【０００２】
今日、多数のパッチパネルシステムが存在し、通信、データ伝送、ネットワーク、ビデオ等の種々の電子機器用途に使用されている。代表的には、パッチパネルシステムを設置するために、システムが維持されるべき部屋内の床にラックフレームがしっかりと取り付けられている。次に、複数のパッチパネルすなわち箱が、重ねた状態でフレームに固定される。各パッチパネルは、その前面に沿って複数のコネクタポート（例えば、ＲＪ４５コネクタポート）を有する。各コネクタポートは、相手ケーブル上のプラグを受容するよう構成される。
【０００３】
従来のパッチパネルは一般に、矩形又は方形の水平断面形状すなわちフットプリントで構成される。各パッチパネルは平坦な前面を有する。パッチパネルがフレーム内に取り付けられると、前面が垂直平面内で互いに整列する。パッチパネルは、垂直方向に高さを有すると共に横方向に幅を有する。垂直方向に互いに重ねられるパッチパネルの数及び個々のパッチパネルの幅は、個々のコネクタポートが保持され所望のパターンで配列される接続インタフェースの外寸法を決める。
【０００４】
情報技術が発達し進歩すると、個人ユーザをますます支援するために各パッチパネルシステムに対するニーズが増大する。ユーザの数が増加すると、全体の物理寸法を増大させるコネクタポート及びケーブルに対するニーズも増大する。接続インタフェースに能力を付加するために、追加のパッチパネルを互いに積み重ねることにより、前面が垂直方向に拡張される。或いは、又はさらに、各パッチパネルの幅を大きくすることにより、接続インタフェースが横方向に拡張される。
【発明の開示】
【発明が解決しようとする課題】
【０００５】
しかし、今日における課題は、パッチパネルシステムが、或る規格と、パッチパネルシステムが実装される部屋及び環境の物理的制約の一方又は両方により与えられる寸法上限に迫っていることである。
【課題を解決するための手段】
【０００６】
この課題は、フレーム、パッチパネル及びコネクタポートを有するパッチパネルシステムが提供されることにより解決する。パッチパネルはフレームに取り付けられ、第１及び第２接続インタフェースを有する。第１接続インタフェースは、Ｎが２より大きいＮ角形の辺を形成するよう結合された複数の部分を有する。コネクタポートは第１接続インタフェースに設けられる。
【０００７】
第１接続インタフェースの複数の部分は個別の平坦な前面を有してもよく、ほぼ円弧状の経路に沿って互いに一体的に形成されてもよい。複数の部分のうち少なくとも一つの部分は、マトリクス状又はアレー状に配列された複数のコネクタポートを有する。コネクタポートは、複数又は単一の情報源／情報あて先にそれぞれ関連した複数又は個別のデータストリームを運ぶよう構成されてもよい。任意であるが、第１接続インタフェースは単一のデータストリームを運ぶよう構成されたコネクタポートからなってもよいのに対し、第２接続インタフェースは各コネクタポートを通って複数のデータストリームを運ぶよう構成されたマルチポートコネクタからなってもよい。
【発明を実施するための最良の形態】
【０００８】
添付図面を参照して、本発明を例示により説明する。
【０００９】
図１は、本発明の一実施形態に従って形成されたケーブル管理システム１０を示す。ケーブル管理システム１０は、アプリケーションの部屋の床、天井に実装されるよう構成されるフレーム１２を有する。複数のパッチパネル１４は互いに重ねられて配置され、分配組立体１５を形成する。パッチパネル１４はフレーム１２にしっかりと取り付けられる。複数のワイヤマネージャ１６も互いに重ねられ、パッチパネル１４の対向する両側に第１及び第２のグループに配列されてワイヤマネージャモジュール１８，２０を形成する。フレーム１２は各ワイヤマネージャ１６を通って上方へ延びており、各ワイヤマネージャ１６及び各パッチパネル１４に後述するようにしっかりと取り付けられる。フレーム１２は、支持ブラケット２８，３０に結合された上側フランジ２６を有する基部プレート２４を有する。
【００１０】
（スイッチングネットワーク等の）機器システム２２も図１に示されるが、システム２２は全体を除去してもよいし、異なる位置に配置してもよい。システム２２はケーブル管理システム１０の一部ではない。
【００１１】
パッチパネル１４及びワイヤマネージャ１６は互いに非直交関係に配置される。「非直交」の用語は、一貫して使用されているように、非平行又は非直交の角度又は形状を含むべきである。
【００１２】
図２は、パッチパネル１４及びワイヤマネージャ１６の大部分が除かれたケーブル管理システム１０を示す。各ワイヤマネージャ１６は、対応する支持ブラケット２８又は３０にワイヤマネージャ１６が装填されることができる開口３２を有する。各ワイヤマネージャ１６は、対応する支持ブラケット２８又は３０に一旦装填されると、対応する支持ブラケット２８又は３０にボルト、ねじ、溶接、接着剤、フック等の従来からの任意の固定手段により固定される。図２の典型的な実施形態において、対応する支持ブラケット２８又は３０の孔３６に整列する一連の孔３４が各ワイヤマネージャ１６を貫通して設けられる。ピン又はボルトが孔３４，３６を貫通挿入され、固定接続が構築される。
【００１３】
図３は、個別のワイヤマネージャ１６をより詳細に示す。ワイヤマネージャ１６は、ほぼ湾曲した形状すなわち輪郭に構成された本体３８を有する。より特定すると、本体３８は、前壁４０、後壁４２及び両側壁４４，４６を有する。前壁４０、後壁４２及び両側壁４４，４６は、湾曲した内部輪郭の空洞４８を囲む。ワイヤマネージャ（管理）モジュール１８又は２０の空洞４８は、垂直ワイヤガイドを区画する。空洞４８の湾曲した輪郭は、図３に示された形状とは異なる形状であってもよい。図３において、空洞４８は半円形で図示されるが、内部輪郭は半円形に限定されないことを理解されたい。代わりに、内部輪郭の形状は、円形、楕円形、三角形、Ｓ字形、波形、（五角形、八角形等の方形、三角形以外の）多角形、又は任意の非方形或いは非矩形に似てもよい。任意であるが、ワイヤマネージャ１６の前壁４０は、Ｎが２より大きいＮ角形の形状であってもよい。Ｎが大きな数字になると、表面は筒状又は回転楕円体に似る。
【００１４】
図３の例において、後壁４２は空洞４８への凸弓状であるのに対し、前壁、後壁、両側壁４０，４２，４４，４６は互いに一体に形成される。任意であるが、ワイヤマネージャ１６は、ねじ、フック、半田付け、溶接、ほぞ接ぎ等の種々の方法で互いに結合される複数の独立部品から形成されてもよい。任意であるが、ワイヤマネージャ１６は、互いに完全に結合されていないが代わりにフレーム１２に個別に実装される２個以上の独立部品で構成されてもよい。前壁４０は、ケーブルが挿入される開口３２を有する。任意であるが、開口３２は、ラッチが空洞４８を完全に囲むよう閉じるヒンジ付きの扉等の閉鎖部材で閉鎖可能であってもよい。
【００１５】
図３の例において、前壁４０は、開口３２で第１及び第２の片５０，５２に分割される。第１及び第２の片５０，５２は、ブラケット片５４，５６を介して対応する側壁４４，４６と一体的に形成される。任意であるが、ワイヤマネージャ１６は、片５０，５２が開口３２を閉じて互いに固定することができるよう構成されてもよい。ブラケット片５４，５６は、対応する支持ブラケット２８又は３０の前面６２（図２参照）に平面で当接するよう構成された内面５８，６０を有する。ブラケット片５４，５６の孔３４は図３に詳細に示される。ワイヤマネージャ１６の両側壁４４，４６は、両側壁４４，４６が後壁４２から前壁４０へ延びるにつれて互いに外方へ広がる。
【００１６】
ワイヤマネージャ１６はまた、後壁４２及び両側壁４４，４６の交差地点に形成されたマネージャ相互接続部６４を有する。マネージャ相互接続部６４は、ワイヤマネージャ１６の本体３８をほぼ含む平面から（矢印Ａで示される）横方向外側の方向に突出する実装ポスト６６を有する。マネージャ相互接続部６４はまた本体３８の平面に対して横方向に整列するが実装ポスト６６とは逆方向に開口するポストリセプタクル６８を有する。ポストリセプタクル６８は、ワイヤマネージャ１６が（図１及び図２に示されるように）互いに重ねられると、隣接する実装ポスト６６と嵌合するよう構成されている。任意であるが、マネージャ相互接続部６４は全体が除かれてもよいし、本体３８に沿って異なる位置に設けられてもよい。さらに、１個のみの又は２個を超えるマネージャ相互接続部６４を使用してもよい。更なる代替物として、単一のワイヤマネージャ１６の１対のマネージャ相互接続部６４の実装ポスト６６が対応するポストリセプタクル６８と共に逆方向を向くように、マネージャ相互接続部６４を変更してもよい。
【００１７】
両側壁４４，４６は外面７０を有し、外面７０はその面に形成されその面から外側へ延びるレール７２を有する。各レールは、対応する側壁４４又は４６の長さ方向に沿って延びており、結合時にパッチパネル１４（図１参照）の対応するスロットに受容されるよう構成される。任意であるが、レール７２は、対応するパッチパネル１４の正確な配向及び整列を確保するために、蟻継ぎ（dovetail）等のキー機構を提供するよう異なる寸法であってもよい。
【００１８】
図４は、前壁４０の輪郭及び実装ポスト６６をよりよく示すために逆方向を向くワイヤマネージャ１６を示す。より特定すると、前壁４０は、片５０の縁７５に形成された切り欠かれた部分７４を有する。切り欠かれた部分７４の外端は隆起部７６を有する。切り欠かれた部分７４により、ケーブルの所望の副セットを、ワイヤマネージャモジュール１８又は２０（図１参照）の高さ方向に沿って所望の垂直方向の位置でワイヤマネージャ１６に入れ又は出すことができる。隆起部７６は、ケーブルが開口３２内に移動するのを防止する。
【００１９】
図５は、パッチパネル１４のより詳細な図である。パッチパネル１４は、基部８２、両側壁８４，８６及び前面８８からなる本体８０を有する。パッチパネル１４は、前側及び後側の接続インタフェース９０，９２を有する。前側接続インタフェース９０は複数の接続モジュール９４を有し、各接続モジュール９４はリセプタクルジャックすなわちリセプタクルポート９６を保持するアレー状又はマトリクス状の開口を有する。図５の例において、各コネクタモジュール９４は、２行６列のマトリクスに配置された１２個のリセプタクルジャック９６を有する。
【００２０】
任意であるが、リセプタクルジャック９６の数はマトリクスの寸法により変更され得る。例えば、各コネクタモジュール９４は、単一行の個別又はグループ分けされたリセプタクルジャック９６を保持してもよいし、２行２列、３行２列、３行３列、４行３列等のマトリクスに配置されたリセプタクルジャック９６を保持してもよい。更なるオプションとして、前側接続インタフェース９０内の異なるコネクタモジュール９４のジャック形状も変更され得る。例えば、リセプタクルジャック９６は、ＲＪ４５コネクタ、光コネクタ、電力コネクタ等からなってもよい。しかし、他の多くのタイプのコネクタも代用し、使用することができる。図５の例において、各リセプタクルジャック９６は、単一の源又はあて先に関連する等の単一ストリームの情報を運ぶコネクタプラグ及びケーブルを受容する。一例として、単一ストリームの情報は１個のユーザ基地からのものであってもよい。現時点では、電力分配、光信号組合せ、分配、又は増幅、（ＬＥＤ等を用いた）信号指示、及び光信号又は電気信号の調整（conditioning）を追加してもよい。
【００２１】
パッチパネル１４は、基部８２に実装された１個以上の回路基板８３を有する。回路基板８３は、基部８２の曲率にならったほぼ半円形状である。回路基板８３は、トレース又はリードフレーム等の表面に設けられた導電信号経路を有する。トレースは、各コネクタモジュール９４内の個々のコンタクトを相互接続する。各コネクタモジュール９４は、回路基板８３に実装される対応するマルチポートコネクタ９８を有する。パッチパネル１４は、回路基板８３上に実装される複数のマルチポートコネクタ９８を有する。各マルチポートコネクタ９８は、複数の独立した情報ストリームを運ぶマルチポートプラグ及びケーブルを受容するよう構成されたリセプタクル１００（図６参照）を有する。典型的な実施形態において、前側接続インタフェース９０上のリセプタクルジャック９６は、単一又は副セットのデータストリーム、電力供給部（power feed）にそれぞれ関連する。そのグループは、関連するマルチポートコネクタ９８内に集められる。任意であるが、電力供給部は、マルチポートコネクタ９８の独立した分離経路として維持されてもよい。リセプタクルジャック９６からの個々のデータストリームは互いに統合されないが、変わりに複数の独立データストリームを運ぶよう構成された単一のプラグ及びケーブル用にリセプタクル１００でグループ化される。リセプタクル１００の例は、ＲＪ−２１、Ｄサブ、ＭＰＯ、ＳＣＳＩコネクタ等である。マルチポートコネクタ９８は後側接続インタフェース９２を区画する。
【００２２】
或いは、ワイヤ又は光ファイバを、圧着、半田付け、接着剤、圧接接続、スプライス、コネクタ化等の手段により、リセプタクルジャック９６の後面に直接接続してもよい。
【００２３】
パッチパネル１４の本体８０は、両側壁８４，８６近傍に形成された保持タブ１０２をさらに有する。保持タブ１０２は孔１０４を有し、両側壁８４，８６から鈍角で横方向外側に延びる。保持タブ１０２は、対応するワイヤマネージャ１６上の関連するブラケット片５４の外面５９に当接して嵌まるよう構成される。
【００２４】
図６は、マルチポートコネクタ９８及び両側壁８４をよりよく示す、パッチパネル１４を後側から見た図である。各側壁８４は、パッチパネル１４がケーブル管理システム１０に装填されると、対応するレール７２（図３参照）上に嵌まるよう構成された開いた後端を有するスロット１０６を有する。基部８２の後端１０８は切欠き１１０を有し、ケーブルは、マルチポートコネクタ９８のリセプタクル１００内に一旦差し込まれると、切欠き１１０内に載置又は固定することができる。図６に示されるように、基部８２は半円形の円弧に形成される。任意であるが、回路基板８３は矩形でもよいし、矩形又は楔形状の分離した基板に分割されてもよいし、光ファイバ部品を含んでもよい。例えば、マルチプレクス化した光ファイバ信号を、単一コネクタから能動的、受動的、ファイバを用いて、又は電気的に分配してもよい。
【００２５】
図５に戻ると、前面８８は、平坦な前面１１４を有する複数の部分１１２が形成されている。各部分１１２は、対応するコネクタ又はコネクタモジュール９４を受容する開口１１６を有する。部分１１２は、図５の例において曲げ部１１３で互いに一体的に形成されるが、互いに分離して形成されてもよい。前側部分１１２は、互いに対して鈍角に曲げ部１１３で交差し、Ｎ角形の辺を区画する。図５の例において、４個の部分１１２が図示されているが、部分１１２の数を変更してもよい。例えば、３個の部分又は５個以上の部分１１２を使用してもよい。部分１１２はほぼ円弧状経路に沿って結合される。図５及び図６の比較は、前側及び後側の接続インタフェース９０，９２が（図６において矢印Ｂ及びＣにより示される）同心円の円弧状経路に沿って配置されることを図示する。保持タブ１０２又はブラケット片５４は、組立及びアクセスを容易にするためにヒンジ結合されてもよい。
【００２６】
図７は、パッチパネル１４及び対応するワイヤマネージャ１６の間のインタフェースの拡大図である。図７に示されるように、ワイヤマネージャ１６は、ねじ１１８によりフレーム１２（図７に図示せず）にブラケット片５４で固定される。ワイヤマネージャ１６がフレーム１２に一旦取り付けられると、パッチパネル１４は、保持タブ１０２がブラケット片５４上に嵌まるように追加される。拡大孔１２０はねじ１１８と整列するのに対し、ねじ１２２はパッチパネル１４をフレーム１２に固定する。任意であるが、保持タブ１０２及び片５４の一方又は両方をヒンジ結合してもよい。
【００２７】
図８は、ケーブル管理システム１０の平面図である。スイッチシステム２２が、基部板２４上のフレーム１２内に実装される。１対のワイヤマネージャモジュール１８，２０はパッチパネル１４の対向する両側面に実装され、Ｃ形状を形成する。任意であるが、フレーム１２は全体を除いてもよいし、パッチパネル１４及びワイヤマネージャモジュール１８，２０は、図示されるようにフレーム１２を要すること無しにフレーム１２から独立するよう結合される。ワイヤマネージャモジュール１８，２０及びパッチパネル１４により形成されるＣ形状は、追加の支持構造を必ずしも必要としない非常に安定したフットプリントを与える。パッチパネル１４及びワイヤマネージャモジュール１８，２０は、それぞれ矢印Ｄ，Ｅにより示される共通の内部及び外部の円弧に沿って延びる。図８によりよく示されるように、ワイヤマネージャ１６の後壁４２は、パッチパネル１４の基部８２の後縁１０８の円弧と等しい円弧に沿って凸状に湾曲する。
【００２８】
パッチパネル１４は、ワイヤマネージャ１６上で当接する側壁４４，４６で、パッチパネル１４上で当接する側壁８４，８６で各ワイヤマネージャモジュール１８，２０に結合される。ワイヤマネージャ１６の両側壁４４，４６及びパッチパネル１４の両側壁８４，８６は、矢印Ｆ，Ｇにより指示される半径方向の軸に沿って互いに当接するよう配向される。半径方向の軸は、ケーブル管理システム１０の中心１２４から外側へ延びる。
【００２９】
任意であるが、パッチパネル１４及びワイヤマネージャ１６は、Ｃ形状以外の別の非直交形状に構成されてもよい。例えば、非直交形状は、完全な円、完全な又は部分的な楕円、完全な又は部分的な多角形等の別の筒状形状に似ていてもよい。
【００３０】
図９は、フレーム２１２、パッチパネル２１４及びワイヤマネージャ２１６を有するケーブル管理システム２００用の別の実施形態を示す。図９の別の実施形態において、パッチパネル２１４は、ケーブル管理システム２００の前後に配置された分離した２グループに分割される。グループ２１５，２１７の各パッチパネル２１４は類似して構成でき、その場合、交換可能になるであろう。グループ２１７を追加することにより、ケーブル管理システム２００全体の相互接続性は倍になる。任意であるが、個々又は小さなグループのパッチパネル２１４、ワイヤマネージャ２１６は、パッチパネル２１４の内部空洞又は後部へのアクセスを容易にするよう空間により置換されてもよい。
【００３１】
ケーブル管理システム２００の全体形状は完全な筒状に似るのに対し、別の非直交形状のケーブル管理システムを使用してもよい。例えば、各グループ２１５，２１７におけるパッチパネル２１４の外部に、より長い円弧状の接続インタフェースを有する楕円形状を形成するために、パッチパネル２１４の寸法及び曲率半径を増加させてもよい。
【００３２】
図１０は、別の実施形態に従って形成されたパッチパネル４１４を示す。パッチパネル４１４は、複数の部分４１２からなる前側の接続インタフェース４９０を有する。各部分４１２は、リセプタクルジャック４９６のアレーからなるコネクタモジュール４９４を有する。コネクタモジュール４９４の後面４９５がケーブル４９７に直接終端されるよう構成されることにより、上述したようにマルチポートコネクタの使用を回避する。ケーブル４９７は電気でも、光ファイバ等であってもよい。ケーブル４９７は、圧着、圧接、半田付け等の種々の手段により各リセプタクルジャック４９６内で個々のコンタクト４９９で終端されてもよい。
【００３３】
上述したケーブル管理システムはまた、既存のスイッチングネットワークに後付けされてもよい。このような構造を後付けするために、既存の矩形のワイヤマネージャ及び平坦なパッチパネルを全体又は部分的に除き、上述した種々の構造及び形状を有するパッチパネル及びワイヤマネージャに置換してもよい。
【００３４】
種々の特定実施形態に関して本発明を説明したが、当業者であれば、本発明は特許請求の範囲の真髄及び範囲内で変更して実施可能であることを理解するであろう。
【図面の簡単な説明】
【００３５】
【図１】本発明の一実施形態に従って形成されたケーブル管理システムの斜視図である。
【図２】複数のパッチパネル及びワイヤマネージャが除かれた図１のケーブル管理システムの斜視図である。
【図３】本発明の一実施形態に従って形成されたワイヤマネージャの斜視図である。
【図４】本発明の一実施形態に従って形成された図３のワイヤマネージャを逆側から見た斜視図である。
【図５】本発明の一実施形態に従って形成されたパッチパネルを前方から見た斜視図である。
【図６】図５のパッチパネルを後方から見た斜視図である。
【図７】パッチパネル及びワイヤマネージャ間の交差地点を示す拡大斜視図である。
【図８】図１のケーブル管理システムの平面図である。
【図９】別の実施形態に従って形成されたケーブル管理システムの斜視図である。
【図１０】別の実施形態に従った、ケーブルに直接接続するコネクタモジュールを有するパッチパネルの斜視図である。
【符号の説明】
【００３６】
１０，２００    ケーブル管理システム（パッチパネルシステム）
１２，２１２    フレーム
１４，２１４    パッチパネル
８３            回路基板
９０，４９０    第１接続インタフェース
９２，４９５    第２接続インタフェース
９６，４９６    リセプタクルジャック（コネクタポート）
９８            マルチポートコネクタ
１００          リセプタクル（マルチポートコネクタポート）
１０２          保持タブ（ラッチタブ）
１１２，４１２  部分
１１４          平坦な前面
【図１】
2007533265.tif 000003
【図２】
2007533265.tif 000004
【図３】
2007533265.tif 000005
【図４】
2007533265.tif 000006
【図５】
2007533265.tif 000007
【図６】
2007533265.tif 000008
【図７】
2007533265.tif 000009
【図８】
2007533265.tif 000010
【図９】
2007533265.tif 000011
【図１０】
2007533265.tif 000012
【国際調査報告】
2007533265.tif 000013
2007533265.tif 000014
2007533265.tif 000015